(57)【要約】      （修正有）【課題】色見本と色見本に対する評価結果との対応付けを分かりやすく表示することができる色評価結果画像生成装置、色評価結果画像生成プログラム、及び色評価結果表示装置を提供する。【解決手段】スマートフォン４０は、予め定めた色情報を有する色見本が形成された評価用チャートの画像を受け付け、評価用チャートの画像から得られる色見本の色情報と、色見本に予め定められた色情報との色差ΔＥを表す色差オブジェクトを、評価用チャートの各色見本の表示位置に重ね合わせた合成画像信号を生成して出力する。【選択図】図３
2015072123.tif 000002
【特許請求の範囲】
【請求項１】
予め定めた色情報を有する色見本が形成された色評価用シートの画像を受け付ける受付手段と、
前記受付手段により受け付けた前記色評価用シートの画像から得られる前記色見本の色情報と、前記予め定めた色情報との差分を表す情報を、前記色見本の表示位置に重ね合わせた合成画像信号を生成する生成手段と、
前記生成手段により生成された前記合成画像信号を出力する出力手段と、
を備えた色評価結果画像生成装置。
【請求項２】
前記生成手段は、前記受付手段により前記色評価用シートの画像を受け付ける際、前記色評価用シートに表示されたマーカーを合わせる為の基準点及び前記色見本の色情報を取得する取得領域を、前記色評価用シートの画像に重ね合わせた合成画像信号を生成する
請求項１記載の色評価結果画像生成装置。
【請求項３】
前記受付手段は、前記色評価用シートの画像を動画として受け付け、
前記生成手段は、前記色評価用シートの画像の変化に合わせて、前記色見本の色情報と前記予め定めた色情報との差分を表す情報を前記色見本の表示位置に重ね合わせた合成画像信号を生成する
請求項１又は請求項２記載の色評価結果画像生成装置。
【請求項４】
前記差分を表す情報は、色、模様、文字、及び形状のうち少なくとも１つ以上の形態により示される情報である
請求項１〜請求項３の何れか１項に記載の色評価結果画像生成装置。
【請求項５】
コンピュータを、請求項１〜請求項４の何れか１項に記載の色評価結果画像生成装置を構成する各手段として機能させるための色評価結果画像生成プログラム。
【請求項６】
色評価用シートを撮影する撮影手段と、
請求項１〜請求項４の何れか１項に記載の色評価結果画像生成装置と、
前記色評価結果画像生成装置から出力された合成画像信号を表示する表示手段と、
を備えた色評価結果表示装置。
【発明の詳細な説明】
【技術分野】
【０００１】
本発明は、色評価結果画像生成装置、色評価結果画像生成プログラム、及び色評価結果表示装置に関する。
【背景技術】
【０００２】
特許文献１には、第１の画像出力装置と第２の画像出力装置とについて、色に関する出力結果を比較評価する色評価装置であって、Ｎ個の評価色を含むカラーチャートを出力するためのカラーチャート用画像データを、第１の画像出力装置および第２の画像出力装置に提供することにより、それぞれ第１のカラーチャートおよび第２のカラーチャートを出力させる画像データ提供手段と、第１のカラーチャートおよび第２のカラーチャートについて、各評価色の出力結果を測定する測色手段と、オペレータの指示により決定された選択基準と測色手段による測定結果とを比較し、第１のカラーチャート上のＮ個の評価色の出力結果の中から選択基準に合致するＭ個（１＜Ｍ＜Ｎ）の評価色を特定色として選択する特定色選択手段と、少なくともＭ個の特定色について、第１のカラーチャート上での出力結果と第２のカラーチャート上での出力結果とを比較し、両者の色差を数値として求める色差演算手段と、Ｍ個の特定色について求めた色差について統計処理を施す色差統計手段と、統計処理の結果を、選択基準を示す情報とともに提示する評価結果提示手段と、を備えることを特徴とする色評価装置が開示されている。
【０００３】
特許文献２には、分光反射率特性に係る第１の値と第２の値から求められる色度差によって定まる色を特定する特定ステップと、特定ステップにおいて特定された色をグラフィカルオブジェクトとして表示させる表示ステップとを有することを特徴とする表示方法が開示されている。
【先行技術文献】
【特許文献】
【０００４】
【特許文献１】特開２００５−０９１００５号公報
【特許文献２】特開２００７−２０５８０４号公報
【発明の概要】
【発明が解決しようとする課題】
【０００５】
色見本の実際の表示位置と関係なく、色見本に対する評価結果を表示する場合と比較して、色見本と色見本に対する評価結果との対応付けを分かりやすく表示することができる色評価結果画像生成装置、色評価結果画像生成プログラム、及び色評価結果表示装置を提供することを目的とする。
【課題を解決するための手段】
【０００６】
上記目的を達成するために、請求項１記載の色評価結果画像生成装置の発明は、予め定めた色情報を有する色見本が形成された色評価用シートの画像を受け付ける受付手段と、前記受付手段により受け付けた前記色評価用シートの画像から得られる前記色見本の色情報と、前記予め定めた色情報との差分を表す情報を、前記色見本の表示位置に重ね合わせた合成画像信号を生成する生成手段と、前記生成手段により生成された前記合成画像信号を出力する出力手段と、を備える。
【０００７】
請求項２記載の発明は、前記生成手段は、前記受付手段により前記色評価用シートの画像を受け付ける際、前記色評価用シートに表示されたマーカーを合わせる為の基準点及び前記色見本の色情報を取得する取得領域を、前記色評価用シートの画像に重ね合わせた合成画像信号を生成する。
【０００８】
請求項３記載の発明は、前記受付手段は、前記色評価用シートの画像を動画として受け付け、前記生成手段は、前記色評価用シートの画像の変化に合わせて、前記色見本の色情報と前記予め定めた色情報との差分を表す情報を前記色見本の表示位置に重ね合わせた合成画像信号を生成する。
【０００９】
請求項４記載の発明は、前記差分を表す情報は、色、模様、文字、及び形状のうち少なくとも１つ以上の形態により示される情報である。
【００１０】
請求項５記載の色評価結果画像生成プログラムの発明は、コンピュータを、請求項１〜請求項４の何れか１項に記載の色評価結果画像生成装置を構成する各手段として機能させる。
【００１１】
請求項６記載の色評価結果表示装置の発明は、色評価用シートを撮影する撮影手段と、請求項１〜請求項４の何れか１項に記載の色評価結果画像生成装置と、前記色評価結果画像生成装置から出力された合成画像信号を表示する表示手段と、を備える。
【発明の効果】
【００１２】
請求項１、５、６の発明によれば、色見本の実際の表示位置と関係なく、色見本に対する評価結果を表示する場合と比較して、色見本と色見本に対する評価結果との対応付けを分かりやすく表示することができる、という効果を有する。
【００１３】
請求項２の発明によれば、基準点及び取得領域を色評価用シートの画像に重ね合わせて表示しない場合と比較して、容易に色見本の色情報を取得することができる、という効果を有する。
【００１４】
請求項３の発明によれば、色評価用シートの画像の変化に合わせて色情報との差分を表す情報の表示位置を変えない場合と比較して、色見本と色見本に対する評価結果との対応付けをより分かりやすく表示することができる、という効果を有する。
【００１５】
請求項４の発明によれば、色情報との差分を表す情報の表現方法を固定にした場合と比較して、色見本と色見本に対する評価結果との対応付けをより分かりやすく表示することができる、という効果を有する。
【図面の簡単な説明】
【００１６】
【図１】色評価システムの構成を示すブロック図である。
【図２】評価用チャートの一例を示す説明図である。
【図３】本実施形態に係るスマートフォンの機能的な構成を示す機能ブロック図である。
【図４】本実施形態に係るスマートフォンの電気系の要部構成を示すブロック図である。
【図５】本実施形態に係る色評価結果画像生成プログラムの処理の流れを示すフローチャートである。
【図６】基準点及び色情報の取得領域に関する説明に用いられる模式図である。
【図７】評価結果の表示方法を示す模式図である。
【図８】評価結果を時系列に従って表示する際の模式図である。
【図９】評価結果を評価用チャートの表示位置に従って表示する際の模式図である。
【発明を実施するための形態】
【００１７】
以下、図面を参照して、本発明を実施するための形態を詳細に説明する。なお、作用、機能が同じ働きを担う構成要素及び処理には、全図面を通して同じ符合を付与し、重複する説明を適宜省略する場合がある。
【００１８】
図１に、色評価システム１０の構成例を示す。
【００１９】
同図に示されるように、色評価システム１０は、例えば画像形成装置としてのカラープリンタ２０（以下、単にプリンタ２０という）、プリンタ２０により形成された評価用チャート３０、及び携帯端末装置としてのスマートフォン４０を含んで構成される。
【００２０】
プリンタ２０は、例えば図示しない通信回線に接続された図示しないパーソナルコンピュータ等から指示された画像の表示色と、実際に用紙等の記録媒体に形成された画像の表示色と相違を抑制するため、必要に応じて記録媒体に評価用チャート３０を形成する。
【００２１】
評価用チャート３０は、プリンタ２０が形成した画像の表示色の評価及び画像の表示色の補正等に利用される。本実施形態の場合、スマートフォン４０で評価用チャート３０を撮影し、スマートフォン４０の画面上に、評価用チャート３０の画像から得られる色見本の表示色を一意に表す情報である色情報と、プリンタ２０が記録媒体に形成しようとした評価用チャート３０の色見本の色情報、すなわち、評価用チャート３０の色見本が本来有する色情報である基準表色値との差分を表示することで、プリンタ２０が形成する画像色の評価を実施する。
【００２２】
なお、画像形成装置はプリンタ２０に限られず、例えばコピー機、ファクシミリ、並びにこれらの装置が一体化された複合機等のカラー画像を用紙等の記録媒体に形成する装置、更には、ディスプレイ等のカラー画像を液晶等の表示媒体に形成する装置であってもよい。
【００２３】
また、携帯端末装置はスマートフォン４０に限られず、ノート型パーソナルコンピュータ、タブレット型パーソナルコンピュータ、デジタルカメラ、ビデオカメラ等の、撮影機能及び撮影した画像を表示する表示機能を備えた装置であればよい。
【００２４】
図２は、評価用チャート３０の一例を示した図である。評価用チャート３０は、例えばプリンタ２０で画像形成の際に用いられるトナー色に対応した表示色であるシアンＣ、マゼンタＭ、及びイエローＹ、ブラックＫ毎の色評価用画像及びスマートフォン４０で評価用チャート３０を撮影する際の基準となるマーカー３０１を含んで構成される。
【００２５】
色評価用画像は、例えば同色内で表示色の濃度が徐々に高くなるよう配置されており、例えばシアンＣの色評価用画像において、色評価用画像ブロック１Ｃの濃度は最も低く、色評価用画像ブロック２Ｃ、・・・、色評価用画像ブロック（Ｎ−１）Ｃと進むに従ってシアンＣの濃度が高くなり、色評価用画像ブロックＮＣにおけるシアンＣの濃度が最も高くなるよう配置されている。なお、Ｎの値はプリンタ２０の種類毎に予め定められた整数である。
【００２６】
同様に、マゼンタＭ、イエローＹ、及びブラックＫに対しても、それぞれ色評価用画像ブロック（１Ｍ、２Ｍ、・・・、ＮＭ）、（１Ｙ、２Ｙ、・・・、ＮＹ）、（１Ｋ、２Ｋ、・・・、ＮＫ）が配置されている。
【００２７】
ここで、各表示色の各々の色評価用画像ブロックを色見本と言い、色見本毎に指定の表示色が指定の濃度で記録媒体に形成されているか評価することにより、プリンタ２０の色再現性が評価される。なお、評価用チャート３０における色見本の配置に関して特に制限はなく、本実施形態のように各色見本が表示色毎の濃度順に配置されている必要はなく、また、色見本の形状も四角形に限定されるものではなく、円等の他の形状であってもよい。
【００２８】
一方、マーカー３０１は、例えば評価用チャート３０の色見本が表示されている面の端部に形成される印しであり、本実施形態では例えば矢印の図形として表されているが、マーカー３０１の形状は特に限定されず、矢印以外の図形であってもよい。また、マーカー３０１の表示色に関する制限もない。
【００２９】
次に、評価用チャート３０を撮影して、プリンタ２０が形成する画像の表示色の評価を実施するスマートフォン４０の構成について説明する。
【００３０】
図３は、スマートフォン４０の機能的な構成を示した機能ブロック図である。
【００３１】
スマートフォン４０は、評価用チャート３０を撮影する撮影部４０１、撮影した画像及び利用者からの指示を受け付ける受付部４０２、撮影した画像からＲＧＢ値を取得するＲＧＢ値取得部４０３、ＲＧＢ値をＬ＊ａ＊ｂ＊色空間の表色値に変換するＬ＊ａ＊ｂ＊変換部４０４、撮影した画像の色情報に対応した表色値と基準表色値との色差を演算する色差演算部４０５、色差を表すオブジェクトを生成するオブジェクト生成部４０６、撮影した画像と色差を表すオブジェクトを合成する合成部４０７、合成した画像信号を表示媒体に出力する出力部４０８、合成した画像信号を表示する表示部４０９、利用者にスマートフォン４０への指示手段を提供する操作部４１０、図示しない外部装置と相互にデータ通信を行う通信部４１１、及び画像データ等を記憶する記憶部４１２、を含んで構成される。
【００３２】
撮影部４０１は、プリンタ２０で形成された評価用チャート３０を撮影して、画像信号に変換する。
【００３３】
受付部４０２では、撮影部４０１で撮影した評価用チャート３０の画像信号を受け付けると共に、操作部４１０を介して、利用者から評価用チャート３０の色見本の色情報取得指示を受け付ける。
【００３４】
ＲＧＢ値取得部４０３では、まず、色情報取得指示を受け付けた際の評価用チャート３０の画像信号から、各々の色見本の位置に対応した色見本画像信号を取得する。そして、この色見本画像信号に基づいて色見本の表示色をレッドＲ、グリーンＧ、及びブルーＢの色空間における各成分色に分解し、ＲＧＢ値を取得する。
【００３５】
Ｌ＊ａ＊ｂ＊変換部４０４では、ＲＧＢ値取得部４０３で取得したＲＧＢ値をＬ＊ａ＊ｂ＊色空間における表色値（以下、実測表色値という）に変換する。Ｌ＊ａ＊ｂ＊色空間は明度Ｌ＊に関連する成分と色相及び彩度に関連する成分ａ＊、ｂ＊とによって定義された色空間であり、ＣＩＥ（Commission Internationale de l'Eclairage：国際照明委員会）１９７６年推奨の表色系である。
【００３６】
ＲＧＢ値取得部４０３で取得したＲＧＢ値をＬ＊ａ＊ｂ＊色空間の表色値に変換する理由は、Ｌ＊ａ＊ｂ＊色空間の表色値はスマートフォン４０等の個別デバイスに依存しない値であるため、より精度の高い表示色の比較が行われるという理由からである。
【００３７】
なお、ＲＧＢ値取得部４０３で取得したＲＧＢ値の変換先の色空間はＬ＊ａ＊ｂ＊色空間に限られず、表示色に対して個別デバイスの影響を排除した色空間、例えばＸＹＺ色空間等の他の色空間に変換してもよい。
【００３８】
色差演算部４０５では、記憶部４１２から、評価用チャート３０の各色見本に対応した基準表色値を読み出し、実測表色値と、当該色見本に対応する基準表色値との色差ΔＥを色見本毎に演算する。具体的には、各色見本の実測表色値と、当該色見本に対応する基準表色値との色差ΔＥは、実測表色値によって表されるＬ＊ａ＊ｂ＊色空間内の点と、基準表色値によって表されるＬ＊ａ＊ｂ＊色空間内の点との距離によって表される。
【００３９】
なお、各色見本に対応する基準表色値は、Ｌ＊ａ＊ｂ＊変換部４０４における変換先の色空間で表わされた値として、予め記憶部４１２に記憶しておくものとする。例えば、本実施形態の場合、基準表色値はＬ＊、ａ＊、及びｂ＊を含む表色値として表わされている。
【００４０】
オブジェクト生成部４０６では、色差演算部４０５で色見本毎に求めた色差ΔＥを、予め定めた表現方法に従ったオブジェクトとして生成する。色差ΔＥを表すオブジェクトの種類としては、例えば、色、模様、文字、及び形状等が用いられ、以下、色差ΔＥを表すオブジェクトを色差オブジェクトという。
【００４１】
色差オブジェクトとして「色」が設定されている場合、例えば色差ΔＥの値が０の場合はグリーンＧ、０を超え値Ｘ未満の場合はイエローＹ、値Ｘ以上の場合はレッドＲで表わすようにする。
【００４２】
また、色差オブジェクトとして「模様」が設定されている場合、例えば色差ΔＥの値が０の場合は模様無し、０を超え値Ｘ未満の場合はドット模様、値Ｘ以上の場合は格子模様で表わすようにする。
【００４３】
また、色差オブジェクトとして「文字」が設定されている場合、例えば色差ΔＥの値をそのまま数字で表わしたり、色差ΔＥの大きさに応じて、「＊」や「＃」等の記号で表わしたりしてもよい。
【００４４】
更に、色差オブジェクトとして「形状」が設定されている場合、例えば色差ΔＥの値を棒グラフとして表したり、また、色差ΔＥの値が予め定めた閾値未満の場合には、色差ΔＥが予め定めた閾値未満に収まっていることを意味する球体、色差ΔＥの値が予め定めた閾値以上の場合には、色差ΔＥが予め定めた閾値未満に収まっていないことを意味する三角錐等を用いて表したりしてもよい。
【００４５】
更に、色差オブジェクトとして、色、模様、文字、及び形状等を各々組み合わせたものを用いるようにしてもよい。
【００４６】
合成部４０７では、画像受付部４０２で受け付けた評価用チャート３０の色見本の各々の表示位置に、オブジェクト生成部４０６で生成した各色見本に対応した色差オブジェクトを重ね合わせて、評価用チャート３０と色差オブジェクトとを合成した合成画像信号を生成する。
【００４７】
出力部４０８では、合成部４０７で生成した合成画像信号を表示部４０９に出力する。
【００４８】
表示部４０９は、出力部４０８から出力された合成画像信号を画像に変換して、評価用チャート３０の色見本の各々の表示位置に各色見本に対応した色差オブジェクトが合成された画像を、スマートフォン４０に内蔵された液晶ディスプレイ等の表示媒体に表示する。
【００４９】
操作部４１０は、例えば液晶ディスプレイ等の表示媒体上に配置されたタッチパネル及び電源ボタン等のハードウェアキーを含んで構成され、例えば、スマートフォン４０の電源の入切指示、液晶ディスプレイに表示されたソフトウエアボタンの押下、及び画面のスクロール指示等を受付部４０２に通知する。
【００５０】
通信部４１１は、図示しない通信回線に接続された他のスマートフォン４０やプリンタ２０等の外部装置と、相互にデータ通信を実施するためのインターフェースであり、有線または無線によって図示しない通信回線に接続される。
【００５１】
記憶部４１２は、撮影部４０１〜通信部４１１の各機能部で参照される各種データや、スマートフォン４０を制御するためのプログラムを記憶すると共に、撮影部４０１〜通信部４１１の各機能部が処理を実施する上で必要なデータを一時的に記憶する記憶領域を提供する。
【００５２】
なお、本実施形態の受付部４０２は、撮影部４０１で撮影した評価用チャート３０の画像信号を受け付けるものとしたが、図示しない通信回線に接続された撮影機能を有する外部装置、例えば、他のスマートフォン４０、デジタルカメラ、タブレット端末等で撮影した評価用チャート３０の画像信号を、通信部４１１を介して受け付けるようにしてもよい。
【００５３】
また、本実施形態の出力部４０８は、合成部４０７で生成した合成画像信号を表示部４０９に出力するようにしたが、図示しない通信回線に接続された表示機能を有する外部装置、例えば、他のスマートフォン４０、ディスプレイ等に、合成部４０７で生成した合成画像信号を出力するようにしてもよい。
【００５４】
図４は、本実施形態に係るスマートフォン４０の要部構成間の電気系統の接続を示したブロック図である。
【００５５】
スマートフォン４０の制御部は、例えばコンピュータ５０として構成される。コンピュータ５０は、ＣＰＵ（Central Processing Unit）５０１、ＲＯＭ（Read Only Memory）５０２、ＲＡＭ（Random Access Memory）５０３、不揮発性メモリ５０４、及び入出力インターフェース（Ｉ／Ｏ）５０５がバス５０６を介して各々接続された構成であり、Ｉ／Ｏ５０５にはカメラコントローラ６２、表示コントローラ６４、タッチパネル６６、及び通信回線Ｉ／Ｆ６８が接続されている。そして、カメラコントローラ６２にはカメラモジュール６１、表示コントローラ６４には液晶ディスプレイ６３がそれぞれ接続されている。
【００５６】
本実施形態におけるカメラモジュール６１は、一例としてＣＭＯＳカメラモジュールが搭載されているが、撮像素子の種類に制限はなく、例えばＣＣＤカメラモジュール等であってもよい。
【００５７】
また、カメラコントローラ６２は、コンピュータ５０からの指示に従ってカメラモジュール６１の制御をすると共に、カメラモジュール６１で撮影した評価用チャート３０等の画像信号を、コンピュータ５０との間で予め取り決めた手順に従って、コンピュータ５０に送信する。
【００５８】
表示コントローラ６４は、コンピュータ５０から送信される画像信号及び画像の表示に係る各種指示を受け付け、コンピュータ５０からの指示に従って画像信号を液晶ディスプレイ６３に表示する。なお、本実施形態の場合、表示媒体として液晶ディスプレイ６３が表示コントローラ６４に接続されているが、表示媒体はこれに限定されず、例えば有機エレクトロルミネッセンス（有機ＥＬ）等を用いるようにしてもよい。
【００５９】
通信回線Ｉ／Ｆ６８は、図示しない通信回線に接続され、例えば、当該通信回線に接続された図示しない他のスマートフォン４０、デジタルカメラ、タブレット端末、ディスプレイ等の外部装置と、相互にデータ通信を行うためのインターフェースであり、有線若しくは無線を問わない。
【００６０】
以上のように構成されたスマートフォン４０における処理は、プログラムを実行することにより、コンピュータ５０を利用したソフトウエア構成により実現される。以下では、本実施形態に係る色評価結果画像生成処理を実行する際のスマートフォン４０の作用について説明する。
【００６１】
図５は、本実施形態に係るスマートフォン４０に内蔵されたコンピュータ５０のＣＰＵ５０１によって実行される色評価結果画像生成プログラムの処理の流れを示すフローチャートである。当該プログラムはＲＯＭ５０２の予め定められた領域に予め記憶されており、例えば、ＣＰＵ５０１が当該プログラムの起動指示を受け付けた場合等に、ＣＰＵ５０１により実行される。
【００６２】
なお、色評価結果画像生成プログラムは、ＲＯＭ５０２に予めインストールされて提供される形態に限らず、ＣＤ−ＲＯＭやメモリカード等のコンピュータ読み取り可能な記録媒体に格納された状態で提供される形態、有線又は無線による通信手段を介して配信される形態等を適用してもよい。
【００６３】
まず、ステップＳ１００では、カメラコントローラ６２に対して画像取得指示を送信して、カメラモジュール６１で取得した評価用チャート３０の画像を画像信号としてカメラコントローラ６２から取得する。そして、取得した画像信号を画像表示指示と共に表示コントローラ６４へ送信することで、カメラモジュール６１で撮影した評価用チャート３０の画像を液晶ディスプレイ６３に表示させる。
【００６４】
カメラモジュール６１で取得する画像は、静止画、動画のいずれであってもよいが、本実施形態におけるカメラモジュール６１は画像を動画として取り込むものとする。
【００６５】
ところで、プリンタ２０で形成される評価用チャート３０は、プリンタ２０の色再生特性等を考慮して数パターン用意される場合があるが、何れの評価用チャート３０においても、色見本数及び色見本の配置位置は予め定められている。
【００６６】
そこで、ステップＳ１０５では、スマートフォン４０の利用者が評価用チャート３０の各色見本の色情報を容易に取得できるように、液晶ディスプレイ６３に表示されている評価用チャート３０の種類に応じて、不揮発性メモリ５０４の予め定めた領域に予め記憶されている評価用チャート３０の色見本数、色見本の配置位置を示した補助表示画像データを読み出すと共に、表示コントローラ６４に対して補助表示画像データ及び補助表示開始指示を送信して、評価用チャート３０の画像上に、色見本の色情報取得を支援するための補助表示画像を重ねて表示するよう制御する。
【００６７】
図６はこの様子を示した図である。なお、以降の説明を簡略化するため、評価用チャート３０は、３種類の濃度を有するシアンＣの色見本１Ｃ、２Ｃ、及び３Ｃを含んだものとして説明するが、例えば図２に示した評価用チャート３０を用いた場合であっても、本説明と同様の処理が適用される。
【００６８】
本実施形態の場合、評価用チャート３０の補助表示画像として、例えば、基準点３０２及び取得領域３０３が表示される。
【００６９】
基準点３０２は、評価用チャート３０を撮影する際の基準となる目印を表したものであり、取得領域３０３は、撮影された評価用チャート３０のうち、どの部分の色情報を取得するかの範囲を表したものであり、評価用チャート３０の色見本数と同じ数の取得領域３０３が表示されることで、各色見本の色情報が取得される。
【００７０】
液晶ディスプレイ６３に補助表示画像が表示されたスマートフォン４０の利用者は、基準点３０２が、評価用チャート３０のマーカー３０１の矢印の先端部分と重なるようにスマートフォン４０を移動させて位置決めをした後、評価用チャート３０の各色見本１Ｃ、２Ｃ、及び３Ｃの画像上に取得領域３０３が表示されるように、例えばズーム倍率の調節等の微調整を行い、色見本の色情報取得の準備をする。
【００７１】
なお、評価用チャート３０の種類の選択は、例えばステップＳ１００を実施する前に液晶ディスプレイ６３に表示した、評価用チャート３０の種類選択ボタン等の押下をタッチパネル６６で検知することにより、予め取得しておけばよい。
【００７２】
ステップＳ１１０では、例えば利用者によるタッチパネル６６の押下等により、評価用チャート３０の色見本の色情報取得指示が行われたか否かを判定する。否定判定の場合には、色情報取得指示があるまでステップＳ１１０の処理を繰り返し実施し、肯定判定の場合にはステップＳ１１５へ移行する。
【００７３】
ステップＳ１１５では、取得領域３０３の範囲に位置する色見本の色情報を取得して、例えばＲＡＭ５０３の予め定めた領域に記憶する。具体的には、評価用チャート３０の画像信号の中から、取得領域３０３の範囲内に含まれる画像信号を抽出し、当該画像信号が表す表示色をＲＧＢ値に変換して、各色見本の色情報をＲＧＢ値としてＲＡＭ５０３に記憶する。
【００７４】
ステップＳ１２０では、ステップＳ１１５でＲＡＭ５０３に記憶した各色見本の色情報に対応したＲＧＢ値を各々読み出し、Ｌ＊ａ＊ｂ＊色空間における表色値Ｌ＊、ａ＊、ｂ＊、すなわち実測表色値に変換する。この変換には、ＲＧＢ各成分値とＬ＊、ａ＊、ｂ＊各表色値との対応関係が定義されたテーブルである色変換テーブルが用いられる。色変換テーブルはスマートフォン４０の実機による実験やスマートフォン４０の設計仕様に基づくコンピュータシミュレーション等により定められ、例えば、不揮発性メモリ５０４の予め定めた領域に予め記憶されている。
【００７５】
ステップＳ１２５では、不揮発性メモリ５０４の予め定めた領域に予め記憶されている評価用チャート３０の各色見本に対応した基準表色値を読み出す。なお、基準表色値の取得方法はこれに限られず、例えば、通信回線Ｉ／Ｆ６８を介して、図示しない通信回線に接続されたプリンタ２０から評価用チャート３０の各色見本に対応した基準表色値を取得するようにしてもよい。
【００７６】
ステップＳ１３０では、ステップＳ１２０で取得した実測表色値と、ステップＳ１２５で取得した基準表色値との色差ΔＥを評価用チャート３０の色見本毎に演算し、演算結果をＲＡＭ５０３の予め定めた領域に記憶する。ここで、実測表色値を（Ｌ１＊、ａ１＊、ｂ１＊）、基準表色値を（Ｌ２＊、ａ２＊、ｂ２＊）とすると、色差ΔＥは（１）式として求められる。
【数１】
2015072123.tif 000003
【００７７】
なお、色見本の実測表色値と基準表色値との差分が定量的に表されるのであれば、色差ΔＥの算出式は（１）式に限られない。また、Ｌ＊ａ＊ｂ＊色空間の原点と実測表色値との距離をΔＥ１、Ｌ＊ａ＊ｂ＊色空間の原点と基準表色値との距離をΔＥ２として、例えば、ΔＥ１≧ΔＥ２の場合には色差ΔＥの符号をプラスに設定し、ΔＥ１＜ΔＥ２の場合には色差ΔＥの符号をマイナスに設定するようにしてもよい。
【００７８】
ステップＳ１３５では、ステップＳ１３０で求めた評価用チャート３０の各色見本に対応した色差ΔＥをＲＡＭ５０３から読み出し、予め定めた表現方法に従った色差オブジェクトを生成すると共に、生成した色差オブジェクトを、例えば不揮発性メモリ５０４の予め定めた領域に記憶する。色差オブジェクトの表現方法は、例えば、液晶ディスプレイ６３に表示された色差オブジェクトの表現方法選択ボタン等の押下をタッチパネル６６で検知することにより取得される。
【００７９】
図７（Ａ）〜図７（Ｅ）は、例えば、色見本１Ｃに対応した色差ΔＥが「１」、色見本２Ｃに対応した色差ΔＥが「４」、色見本３Ｃに対応した色差ΔＥが「１０」である場合に、色差ΔＥを表す色差オブジェクトの例を示した図である。
【００８０】
図７（Ａ）は色差ΔＥを３次元グラフで表わしており、図７（Ｂ）は色差ΔＥを数値で表している。
【００８１】
図７（Ｃ）は、色差ΔＥを色の区別によって表しており、例えば、色差ΔＥが「０」の場合は緑色、「０」を超え「３」未満であれば黄色、「３」以上「７」未満であれば橙色、「７」以上の場合は赤色で表示する。この場合、具体的には色見本１Ｃ上に黄色、色見本２Ｃ上に橙色、色見本３Ｃ上に赤色を表示して、色差ΔＥを表すことになる。なお、色差ΔＥの表示色及び表示色が表す色差ΔＥの範囲は一例であり、上記具体例以外の表示色や範囲を用いてもよいことは言うまでもない。
【００８２】
図７（Ｄ）は、色差ΔＥを模様の区別によって表しており、例えば、色差ΔＥが「０」の場合は無地、「０」を超え「３」未満であれば点描画（水玉模様）、「３」以上「７」未満であれば斜め縞模様、「７」以上の場合は格子模様で表示する。この場合、具体的には色見本１Ｃ上に点描画、色見本２Ｃ上に斜め縞模様、色見本３Ｃ上に格子模様を表示して、色差ΔＥを表すことになる。なお、色差ΔＥの模様及び模様が表す色差ΔＥの範囲は一例であり、上記具体例以外の模様や範囲を用いてもよいことは言うまでもない。
【００８３】
図７（Ｅ）は、色差ΔＥを図７（Ａ）の３次元グラフ及び図７（Ｂ）の数値の組み合わせによって表わしたものである。このように、色差オブジェクトは、図７（Ａ）〜図７（Ｄ）の各々を組み合わせて生成するようにしてもよい。
【００８４】
なお、図７（Ｃ）、図７（Ｄ）では、色見本１Ｃ〜３Ｃの表示面積と同じ大きさの色差オブジェクトを生成する例を示したが、図７（Ａ）のように、色見本の表示面積より小さい色差オブジェクトを生成して、色見本の一部が表示されるようにしてもよい。この場合、色見本と色差オブジェクトとの対応付けがより明確に表される。反対に、図７（Ａ）では、色見本１Ｃ〜３Ｃの表示面積より底面積が小さい３次元グラフを生成する例を示したが、図７（Ｃ）、図７（Ｄ）のように、色見本の表示面積と同じ底面積を有する３次元グラフを生成するようにしてもよい。
【００８５】
ステップＳ１４０では、ステップＳ１００で取得した評価用チャート３０の画像と、ステップＳ１３５で生成した評価用チャート３０の色見本毎の色差オブジェクトと、を合成した合成画像信号を生成する。この際、色差オブジェクトを、各々の色差オブジェクトに対応した評価用チャート３０の色見本の表示位置に重ね合わせるように合成画像信号を生成する。
【００８６】
ステップＳ１４５では、ステップＳ１４０で生成した合成画像信号を液晶ディスプレイ６３に表示させるように、表示コントローラ６４へ合成画像信号及び画像表示指示を送信する。これにより、液晶ディスプレイ６３に、評価用チャート３０の各色見本上に色差オブジェクトが重ね合わされた合成画像が表示される。
【００８７】
なお、同じ評価用チャート３０に対して、以前の色評価結果画像生成処理で生成された色差オブジェクトが不揮発性メモリ５０４に記憶されている場合、今回の色評価結果画像生成処理で生成した色差オブジェクトと、以前の色評価結果画像生成処理で生成された色差オブジェクトとを、時系列に従って連続的に液晶ディスプレイ６３に表示するようにしてもよい。
【００８８】
図８はこの様子を示した図であり、図８（Ａ）は、不揮発性メモリ５０４に記憶されている評価用チャート３０の色差オブジェクトのうち、最も古い色差オブジェクトを色見本１Ｃ〜３Ｃに重ねて表示したものである。そして、図８（Ｂ）は次に古い色差オブジェクトを色見本１Ｃ〜３Ｃに重ねて表示したものであり、図８（Ｃ）は最も新しい色差オブジェクトを色見本１Ｃ〜３Ｃに重ねて表示したものである。
【００８９】
図８（Ａ）、（Ｂ）、（Ｃ）の順に、例えば予め定めた間隔で液晶ディスプレイ６３に表示することにより、評価用チャート３０の色見本に対する色差ΔＥの変化の過程が表示され、以前に生成した評価用チャート３０の色差オブジェクトを表示しない場合と比較して、プリンタ２０が形成する画像の表示色の変化傾向がより容易に把握される。
【００９０】
また、ステップＳ１００において、評価用チャート３０を動画として取得している場合、スマートフォン４０での評価用チャート３０の撮影位置が変われば、それに伴い、液晶ディスプレイ６３に表示される評価用チャート３０の大きさ、表示角度、表示位置等の表示属性も変化することになる。そこでステップＳ１４０で、ステップＳ１００で取得した評価用チャート３０の画像と、ステップＳ１３５で生成した評価用チャート３０の色見本毎の色差オブジェクトとを合成した合成画像信号を生成する際、変化する評価用チャート３０の表示属性に基づいて、色差オブジェクトを各々の色差オブジェクトに対応した評価用チャート３０の色見本の表示位置に重ね合わせるようにして合成画像信号を生成するようにしてもよい。
【００９１】
図９はこの様子を示した図であり、例えば、図９（Ａ）に示すような角度で取得した評価用チャート３０の画像に対して、図９（Ｂ）に示すような３次元グラフが色差オブジェクトとして色見本１Ｃ〜３Ｃ上に重ね合わされ、液晶ディスプレイ６３に表示されているとする。この状態から、評価用チャート３０の撮影位置を変えて、図９（Ｃ）に示すような角度から評価用チャート３０の画像を取得した場合、評価用チャート３０の表示属性に合わせて色差オブジェクトを表示することで、図９（Ｄ）のように色見本と色差オブジェクトとの対応関係が変わらないように表示する。
【００９２】
なお、評価用チャート３０の表示属性に基づく色差オブジェクトは、例えば、色差オブジェクト生成テーブルを参照して生成される。色差オブジェクト生成テーブルは、液晶ディスプレイ６３に表示されるマーカー３０１の大きさ、表示角度、表示位置等に対応した評価用チャート３０の表示属性が定義されたテーブルであり、スマートフォン４０の実機による実験やスマートフォン４０の設計仕様に基づくコンピュータシミュレーション等により定められ、例えば、不揮発性メモリ５０４の予め定めた領域に予め記憶されている。
【００９３】
従って、例えば、ステップＳ１４０において、マーカー３０１に対応する画像信号を抽出し、マーカー３０１の大きさ、表示角度、表示位置等を解析することで、色差オブジェクト生成テーブルを介して評価用チャート３０の表示属性を得るようにする。そして、取得した表示属性に基づいて、色差オブジェクトを、各々の色差オブジェクトに対応した評価用チャート３０の色見本の表示位置に重ね合わせるように合成画像信号を生成すればよい。
【００９４】
このように、本実施形態に係る色評価結果画像生成処理を実施することで、評価用チャート３０の各色見本の映像上に色差オブジェクトが重ね合わされて表示されるため、色見本と色差オブジェクトとの対応付けがより明確になる。
【００９５】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００９６】
また、本実施形態では、一連の画像処理をソフトウエア構成によって実現した場合について説明したが、本発明はこれに限定されるものではなく、例えば当該処理をハードウェア構成により実現する形態としてもよい。
【００９７】
この場合の形態例としては、例えば、ＣＰＵ５０１が実行する処理に対応した機能デバイスを作成して用いる形態がある。この場合は、本実施形態の場合と比較して、処理の高速化が期待される。
【符号の説明】
【００９８】
１０  色評価システム
２０  プリンタ
３０  評価用チャート
４０  スマートフォン
５０  コンピュータ
６１  カメラモジュール
６３  液晶ディスプレイ
６６  タッチパネル
【図１】
2015072123.tif 000004
【図２】
2015072123.tif 000005
【図３】
2015072123.tif 000006
【図４】
2015072123.tif 000007
【図５】
2015072123.tif 000008
【図６】
2015072123.tif 000009
【図７】
2015072123.tif 000010
【図８】
2015072123.tif 000011
【図９】
2015072123.tif 000012